(57)【要約】光通信システムにおいて、システム起動時や光トランシーバの増設時又は交換時における、光トランシーバ間での波長設定に要する時間を低減し、且つ増設又は交換用に用意する光トランシーバの種類を低減する。第１光トランシーバ（１）が、第１光トランシーバ（１）と対向する第２光トランシーバ（２）との間の一芯双方向通信を行うための媒体となる光ファイバ（３）側に、第１光信号を第１光信号の波長を切り替えながら出力する。第２光トランシーバ（２）が、第１光信号の波長が受信可能な波長となったとき、受信した第１光信号の波長を識別して、識別結果に基づいて決定した波長を有する第２光信号を光ファイバ（３）側に出力する。第１光トランシーバ（１）が、光ファイバ（３）側から第２光信号を受信したとき、第１光信号の波長の切り替えを停止する。
2020194859.tif 000002
【特許請求の範囲】
【請求項１】
第１光信号を出力する第１光トランシーバと、
前記第１光トランシーバと対向し、第２光信号を出力する第２光トランシーバと、
前記第１光トランシーバと前記第２光トランシーバとの間の一芯双方向通信を行うための媒体となる光ファイバと、
を備え、
前記第１光トランシーバは、前記第１光信号を前記第１光信号の波長を切り替えながら前記光ファイバ側に出力し、
前記第２光トランシーバは、前記第１光信号の波長が受信可能な波長となったとき、受信した前記第１光信号の波長を識別して、前記第２光信号として、識別結果に基づいて決定した波長を有する光信号を前記光ファイバ側に出力し、
前記第１光トランシーバは、前記光ファイバ側から前記第２光信号を受信したとき、前記第１光信号の波長の切り替えを停止する、
光通信システム。
【請求項２】
前記第１光トランシーバは、前記第１光信号に前記第１光信号の波長を示す情報を含めて前記光ファイバ側に出力し、
前記第２光トランシーバは、受信した前記第１光信号の波長を前記情報に基づいて識別する、
請求項１に記載の光通信システム。
【請求項３】
前記第２光トランシーバは、受信波長と送信波長との対応関係を記憶する記憶手段を有し、前記識別結果及び前記対応関係に基づいて、前記識別結果が示す波長と一致する受信波長に対応した送信波長を、前記第２光信号の波長として決定する、
請求項１又は２に記載の光通信システム。
【請求項４】
前記第１光トランシーバは、所定回数、波長の切り替えを実行しても前記光ファイバ側から前記第２光信号を受信できなかった場合、前記第１光信号の出力を停止し、
前記第１光信号の出力の停止後に前記第２光トランシーバが接続された場合、
接続された前記第２光トランシーバは、前記第２光信号を前記第２光信号の波長を切り替えながら前記光ファイバ側に出力し、
前記第１光トランシーバは、前記第２光信号の波長が受信可能な波長となったとき、受信した前記第２光信号の波長を識別して、前記第１光信号として、識別結果に基づいて決定した波長を有する光信号を前記光ファイバ側に出力し、
前記第２光トランシーバは、前記光ファイバ側から前記第１光信号を受信したとき、前記第２光信号の波長の切り替えを停止する、
請求項１又は２に記載の光通信システム。
【請求項５】
前記第２光トランシーバは、受信波長と送信波長との対応関係を記憶する記憶手段を有し、前記識別結果及び前記対応関係に基づいて、前記識別結果が示す波長と一致する受信波長に対応した送信波長を、前記第２光信号の波長として決定し、
前記第１光トランシーバは、前記対応関係を記憶する記憶手段を有し、前記識別結果及び前記対応関係に基づいて、前記識別結果が示す波長と一致する受信波長に対応した送信波長を、前記第１光信号の波長として決定する、
請求項４に記載の光通信システム。
【請求項６】
前記第１光トランシーバに接続するための送信ポート及び受信ポートを有する第１合分波器と、前記第２光トランシーバに接続するための送信ポート及び受信ポートを有する第２合分波器と、を備え、
前記光ファイバは、前記第１合分波器と前記第２合分波器との間に配置され、
前記第１光トランシーバが接続された前記第１合分波器の送信ポート及び受信ポートに応じて、それぞれ前記第１光トランシーバから送信可能な波長及び前記第１光トランシーバで受信可能な波長が規定され、
前記第２光トランシーバが接続された前記第２合分波器の送信ポート及び受信ポートに応じて、それぞれ前記第２光トランシーバから送信可能な波長及び前記第２光トランシーバで受信可能な波長が規定されている、
請求項１〜５のいずれか１項に記載の光通信システム。
【請求項７】
前記第１光トランシーバに接続するための送受信ポートを有する第１合分波器と、前記第２光トランシーバに接続するための送受信ポートを有する第２合分波器と、を備え、
前記光ファイバは、前記第１合分波器と前記第２合分波器との間に配置され、
前記第１光トランシーバが接続された前記第１合分波器の送受信ポートに応じて、前記第１光トランシーバで送受信可能な波長が規定され、
前記第２光トランシーバが接続された前記第２合分波器の送受信ポートに応じて、前記第２光トランシーバで送受信可能な波長が規定されている、
請求項１〜５のいずれか１項に記載の光通信システム。
【請求項８】
自機と対向する他の光トランシーバとの間の一芯双方向通信を行うための媒体となる光ファイバ側に、第１光信号を出力する光出力手段と、
前記光出力手段で出力する前記第１光信号の波長を切り替える制御手段と、
前記他の光トランシーバが前記第１光信号を受信したときに出力した、前記第１光信号の波長に予め対応付けられた波長の第２光信号を、前記光ファイバ側から入力する光入力手段と、
を備え、
前記制御手段は、前記光入力手段で前記第２光信号を受信したとき、前記第１光信号の波長の切り替えを停止する、
光トランシーバ。
【請求項９】
前記光出力手段は、前記第１光信号に前記第１光信号の波長を示す情報を含めて前記光ファイバ側に出力する、
請求項８に記載の光トランシーバ。
【請求項１０】
自機と対向する他の光トランシーバとの間の一芯双方向通信を行うための媒体となる光ファイバ側から、波長を切り替えながら出力された第１光信号を入力する光入力手段と、
前記光入力手段で受信できた前記第１光信号の波長を識別して、識別結果に基づいて送信波長を決定する制御手段と、
前記制御手段で決定された前記送信波長を有する第２光信号を、前記光ファイバ側に出力する光出力手段と、
を備えた、
光トランシーバ。
【請求項１１】
前記制御手段は、前記他の光トランシーバから受信した前記第１光信号の波長を、前記第１光信号に含まれる情報に基づいて識別する、
請求項１０に記載の光トランシーバ。
【請求項１２】
前記制御手段は、受信波長と送信波長との対応関係を記憶する記憶手段を有し、前記識別結果及び前記対応関係に基づいて、前記識別結果が示す波長と一致する受信波長に対応した送信波長を、前記第２光信号の送信波長として決定する、
請求項１０又は１１に記載の光トランシーバ。
【請求項１３】
自機と対向する他の光トランシーバとの間の一芯双方向通信を行うための媒体となる光ファイバ側に、第１光信号を出力する光出力手段と、
前記光出力手段で出力する前記第１光信号の波長を切り替える制御手段と、
前記他の光トランシーバが前記第１光信号を受信したときに出力した、前記第１光信号の波長に予め対応付けられた波長の第２光信号を、前記光ファイバ側から入力する光入力手段と、
を備え、
前記制御手段は、前記光入力手段で前記第２光信号を受信したとき、前記第１光信号の波長の切り替えを停止し、
前記光入力手段は、前記光ファイバ側から、波長を切り替えながら出力された第３光信号を入力し、
前記制御手段は、前記光入力手段で受信できた前記第３光信号の波長を識別して、識別結果に基づいて送信波長を決定し、
前記光出力手段は、前記制御手段で決定された前記送信波長を有する第４光信号を、前記光ファイバ側に出力し、
前記光入力手段で受信できる前記第３光信号の波長は、前記第２光信号の波長であり、
前記制御手段で決定される前記第４光信号の波長は、前記他の光トランシーバが受信できる前記第１光信号の波長である、
光トランシーバ。
【請求項１４】
前記光出力手段は、前記第１光信号に前記第１光信号の波長を示す情報を含めて前記光ファイバ側に出力し、
前記制御手段は、前記光入力手段で受信できた前記第３光信号の波長を、前記第３光信号に含まれる情報に基づいて識別する、
請求項１３に記載の光トランシーバ。
【請求項１５】
前記光出力手段は、所定回数、波長の切り替えを実行しても前記光ファイバ側から前記第２光信号を受信できなかった場合、前記第１光信号の出力を停止し、
前記制御手段は、前記第１光信号の出力の停止後に、前記光入力手段で前記第３光信号を受信できた場合に、前記光入力手段で受信できた前記第３光信号の波長を識別する、
請求項１３又は１４に記載の光トランシーバ。
【請求項１６】
前記制御手段は、受信波長と送信波長との対応関係を記憶する記憶手段を有し、前記識別結果及び前記対応関係に基づいて、前記識別結果が示す波長と一致する受信波長に対応した送信波長を、前記第４光信号の波長として決定する、
請求項１３〜１５のいずれか１項に記載の光トランシーバ。
【請求項１７】
前記光ファイバは、前記光トランシーバに接続するための送信ポート及び受信ポートを有する第１合分波器と、前記他の光トランシーバに接続するための送信ポート及び受信ポートを有する第２合分波器と、の間に配置され、
前記光トランシーバが接続された前記第１合分波器の送信ポート及び受信ポートに応じて、それぞれ前記光トランシーバから送信可能な波長及び前記光トランシーバで受信可能な波長が規定され、
前記他の光トランシーバが接続された前記第２合分波器の送信ポート及び受信ポートに応じて、それぞれ前記他の光トランシーバから送信可能な波長及び前記他の光トランシーバで受信可能な波長が規定されている、
請求項８〜１６のいずれか１項に記載の光トランシーバ。
【請求項１８】
前記光ファイバは、前記光トランシーバに接続するための送受信ポートを有する第１合分波器と、前記他の光トランシーバに接続するための送受信ポートを有する第２合分波器と、の間に配置され、
前記光トランシーバが接続された前記第１合分波器の送受信ポートに応じて、前記光トランシーバで送受信可能な波長が規定され、
前記他の光トランシーバが接続された前記第２合分波器の送受信ポートに応じて、前記他の光トランシーバで送受信可能な波長が規定されている、
請求項８〜１６のいずれか１項に記載の光トランシーバ。
【請求項１９】
第１光トランシーバが、前記第１光トランシーバと対向する第２光トランシーバとの間の一芯双方向通信を行うための媒体となる光ファイバ側に、第１光信号を前記第１光信号の波長を切り替えながら出力する第１出力ステップと、
前記第２光トランシーバが、前記第１光信号の波長が受信可能な波長となったとき、受信した前記第１光信号の波長を識別して、識別結果に基づいて決定した波長を有する第２光信号を前記光ファイバ側に出力する第２出力ステップと、
前記第１光トランシーバが、前記光ファイバ側から前記第２光信号を受信したとき、前記第１光信号の波長の切り替えを停止するステップと、
を備えた、光通信方法。
【請求項２０】
前記第１出力ステップは、前記第１光信号に前記第１光信号の波長を示す情報を含めて前記光ファイバ側に出力し、
前記第２出力ステップは、受信した前記第１光信号の波長を前記情報に基づいて識別する、
請求項１９に記載の光通信方法。
【請求項２１】
前記第２出力ステップは、受信波長と送信波長との対応関係及び前記識別結果に基づいて、前記識別結果が示す波長と一致する受信波長に対応した送信波長を、前記第２光信号の波長として決定する、
請求項１９又は２０に記載の光通信方法。
【請求項２２】
前記第１光トランシーバが、所定回数、波長の切り替えを実行しても前記光ファイバ側から前記第２光信号を受信できなかった場合、前記第１光信号の出力を停止するステップと、
前記第１光信号の出力の停止後に前記第２光トランシーバが接続された場合、接続された前記第２光トランシーバが、前記第２光信号を前記第２光信号の波長を切り替えながら前記光ファイバ側に出力する第３出力ステップと、
前記第１光トランシーバが、前記第２光信号の波長が受信可能な波長となったとき、受信した前記第２光信号の波長を識別して、前記第１光信号として、識別結果に基づいて決定した波長を有する光信号を前記光ファイバ側に出力する第４出力ステップと、
前記第２光トランシーバが、前記光ファイバ側から前記第１光信号を受信したとき、前記第２光信号の波長の切り替えを停止するステップと、
を備えた、請求項１９又は２０に記載の光通信方法。
【請求項２３】
前記第２出力ステップは、受信波長と送信波長との対応関係及び前記識別結果に基づいて、前記識別結果が示す波長と一致する受信波長に対応した送信波長を、前記第２光信号の波長として決定し、
前記第４出力ステップは、前記対応関係及び前記識別結果に基づいて、前記識別結果が示す波長と一致する受信波長に対応した送信波長を、前記第１光信号の波長として決定する、
請求項２２に記載の光通信方法。
【請求項２４】
前記光ファイバは、前記第１光トランシーバに接続するための送信ポート及び受信ポートを有する第１合分波器と、前記第２光トランシーバに接続するための送信ポート及び受信ポートを有する第２合分波器と、の間に配置され、
前記第１光トランシーバが接続された前記第１合分波器の送信ポート及び受信ポートに応じて、それぞれ前記第１光トランシーバから送信可能な波長及び前記第１光トランシーバで受信可能な波長が規定され、
前記第２光トランシーバが接続された前記第２合分波器の送信ポート及び受信ポートに応じて、それぞれ前記第２光トランシーバから送信可能な波長及び前記第２光トランシーバで受信可能な波長が規定されている、
請求項１９〜２３のいずれか１項に記載の光通信方法。
【請求項２５】
前記光ファイバは、前記第１光トランシーバに接続するための送受信ポートを有する第１合分波器と、前記第２光トランシーバに接続するための送受信ポートを有する第２合分波器と、の間に配置され、
前記第１光トランシーバが接続された前記第１合分波器の送受信ポートに応じて、前記第１光トランシーバで送受信可能な波長が規定され、
前記第２光トランシーバが接続された前記第２合分波器の送受信ポートに応じて、前記第２光トランシーバで送受信可能な波長が規定されている、
請求項１９〜２３のいずれか１項に記載の光通信方法。
【請求項２６】
光トランシーバが備える制御コンピュータに、
前記光トランシーバと対向する他の光トランシーバとの間の一芯双方向通信を行うための媒体となる光ファイバ側に出力する第１光信号の波長を切り替える切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
を実行させるためのプログラムが格納された非一時的なコンピュータ可読媒体。
【請求項２７】
前記切替ステップは、前記第１光信号に前記第１光信号の波長を示す情報を含めるステップを含む、
請求項２６に記載の非一時的なコンピュータ可読媒体。
【請求項２８】
光トランシーバが備える制御コンピュータに、
前記光トランシーバと対向する他の光トランシーバとの間の一芯双方向通信を行うための媒体となる光ファイバ側から、波長を切り替えながら出力された第１光信号を受信したとき、受信した前記第１光信号の波長を識別する識別ステップと、
前記識別ステップでの識別結果に基づいて送信波長を決定する決定ステップと、
前記決定ステップで決定された前記送信波長になるように、前記光ファイバ側に出力させる第２光信号の波長を切り替える切替ステップと、
を実行させるためのプログラムが格納された非一時的なコンピュータ可読媒体。
【請求項２９】
前記識別ステップは、前記他の光トランシーバから受信した前記第１光信号の波長を、前記第１光信号に含まれる情報に基づいて識別する、
請求項２８に記載の非一時的なコンピュータ可読媒体。
【請求項３０】
前記決定ステップは、受信波長と送信波長との対応関係及び前記識別結果に基づいて、前記識別結果が示す波長と一致する受信波長に対応した送信波長を、前記第２光信号の送信波長として決定する、
請求項２８又は２９に記載の非一時的なコンピュータ可読媒体。
【請求項３１】
光トランシーバが備える制御コンピュータに実行させるためのプログラムが格納された非一時的なコンピュータ可読媒体であって、
前記プログラムは、
前記光トランシーバと対向する他の光トランシーバとの間の一芯双方向通信を行うための媒体となる光ファイバ側に出力する第１光信号の波長を切り替える第１切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
前記光ファイバ側から、波長を切り替えながら出力された第３光信号を受信したとき、受信した前記第３光信号の波長を識別する識別ステップと、
前記識別ステップでの識別結果に基づいて送信波長を決定する決定ステップと、
前記決定ステップで決定された前記送信波長になるように、前記光ファイバ側に出力させる第４光信号の波長を切り替える第２切替ステップと、
を実行させるためのプログラムであり、
前記光ファイバ側から受信できる前記第３光信号の波長は、前記第２光信号の波長であり、
前記決定ステップで決定される前記第４光信号の波長は、前記他の光トランシーバが受信できる前記第１光信号の波長である、
非一時的なコンピュータ可読媒体。
【請求項３２】
前記第１切替ステップは、前記第１光信号に前記第１光信号の波長を示す情報を含めるステップを含み、
前記識別ステップは、前記他の光トランシーバから受信した前記第３光信号の波長を、前記第３光信号に含まれる情報に基づいて識別する、
請求項３１に記載の非一時的なコンピュータ可読媒体。
【請求項３３】
前記第１切替ステップは、所定回数、波長の切り替えを実行しても前記光ファイバ側から前記第２光信号を受信できなかった場合、前記第１光信号の出力を停止するステップを含み、
前記識別ステップは、前記第１光信号の出力の停止後に、前記光ファイバ側から前記第３光信号を受信できた場合に、受信できた前記第３光信号の波長を識別する、
請求項３１又は３２に記載の非一時的なコンピュータ可読媒体。
【請求項３４】
前記決定ステップは、受信波長と送信波長との対応関係及び前記識別結果に基づいて、前記識別結果が示す波長と一致する受信波長に対応した送信波長を、前記第４光信号の波長として決定する、
請求項３１〜３３のいずれか１項に記載の非一時的なコンピュータ可読媒体。
【発明の詳細な説明】
【技術分野】
【０００１】
本開示は、光通信システム、光トランシーバ、光通信方法、及びプログラムに関する。
【背景技術】
【０００２】
特許文献１には、光トランシーバ間で通信を行う光通信システムにおける運用開始後に用いられる技術が記載されている。特許文献１に記載の光トランシーバでは、対向する光トランシーバに単一の光線路を通じて第１光信号を送信し、対向する光トランシーバからその光線路を通じて第２光信号を受信している。そして、特許文献１に記載の光トランシーバでは、第１光信号に含まれ且つその波長を示す第１波長情報と第２光信号に含まれ且つその波長を示す第２波長情報とを取得し、それらを比較することで、第１光信号と第２光信号との間の波長分離間隔を制御している。【０００３】
一方で、光トランシーバ間で通信を行う光通信システムでは、システムの起動時や光トランシーバの増設時又は交換時において、光通信を確立する必要がある。また、各光トランシーバが送受信可能な光信号の波長は、接続する合分波器のポートが選択的に透過する波長により決められる。よって、対向する光トランシーバ間で通信を確立するためには、各トランシーバが接続するポートに応じた適切な出力波長を設定しておくことが必要になる。【０００４】
特許文献２，３には、光トランシーバに適切な出力波長を設定するための波長チューニング技術が記載されている。特許文献２に記載の技術では、固定波長の光トランシーバを複数有する第１サイトと波長調整可能な光トランシーバを複数有する第２サイトとの間でＬＯＳ（Loss Of Signal）情報を交換し、第２サイトが出力する信号光の波長調整を行う。このＬＯＳ情報は、低周波成分として第１サイトが出力する信号光に重畳される。特許文献２に記載の技術において、第１サイトは、第２サイトからの信号光の波長が適切でない場合（受信負荷の時）、ＬＯＳ情報を第２サイトに送信し、第２サイトは、第１サイトからＬＯＳ情報を受信している間、波長切替を継続する。そして、第１サイトは、第２サイトからの信号光の波長が特定のチャネルになった場合（受信可能となった時）、ＬＯＳ情報の出力を停止し、第２サイトは、第１サイトからＬＯＳ情報を受信しなくなったことをもって、波長切替制御を完了する。【０００５】
特許文献３には、ＰＯＮ（Passive Optical Network）のＯＬＴ（Optical Line Termination）とＯＮＴ（Optical Network Termination）との間のチャネル確立技術が記載されている。特許文献３に記載の技術では、ＯＬＴとＯＮＴとの両端局において波長調整を実行している。具体的には、ＯＮＴは、ある波長の光信号をＯＬＴに出力し、第１所定時間内にＯＬＴから応答信号を受信できた場合には制御を完了し、受信できなかった場合には波長を切り替えて再度ＯＬＴに光信号を出力する。ＯＬＴは、ＯＬＴはＯＮＴからの光信号を受信できれば、ある波長の応答信号をＯＮＵに出力し、第２所定時間内にＯＮＴから光信号を受信できた場合には制御を完了し、受信できなかった場合には波長を切り替えて再度ＯＮＴに光信号を出力する。
【先行技術文献】
【特許文献】
【０００６】
【特許文献１】特表２０１７−５０４２２４号公報
【特許文献２】米国特許第９６９２５４７号明細書
【特許文献３】米国特許第９９１７６７１号明細書
【発明の概要】
【発明が解決しようとする課題】
【０００７】
上述のように、特許文献２に記載の技術では、波長設定を一方（片側）の端局側の光トランシーバでのみ実行するものであり、他方の端局側の光トランシーバには出力すべき波長が固定で設定されていることが前提となっている。よって、特許文献２に記載の技術では、上記他方の端局側の或る光トランシーバを交換する必要がある場合には、その固定波長専用の光トランシーバを用意する必要があり、システムの管理コストが嵩むことになる。【０００８】
また、特許文献３に記載の技術では、両方の端局において波長を順次切り替えるスキャニングを実行しているため、両端局における適切な波長設定に多大な時間を要し、それによりシステムの管理コストが嵩むことになる。【０００９】
よって、光通信システムにおいて、管理コストの低減のために、波長設定に要する時間を低減し、且つ交換又は増設用に用意する光トランシーバの種類を低減することが望まれる。【００１０】
本開示の目的は、上記課題を解決する光通信システム、光トランシーバ、光通信方法、及びプログラムを提供することにある。上記課題は、光通信システムにおいて、システム起動時や光トランシーバの増設時又は交換時における、光トランシーバ間での波長設定に要する時間を低減し、且つ増設又は交換用に用意する光トランシーバの種類を低減する、というものである。
【課題を解決するための手段】
【００１１】
本開示の第１の態様に係る光通信システムは、
第１光信号を出力する第１光トランシーバと、
前記第１光トランシーバと対向し、第２光信号を出力する第２光トランシーバと、
前記第１光トランシーバと前記第２光トランシーバとの間の一芯双方向通信を行うための媒体となる光ファイバと、
を備え、
前記第１光トランシーバは、前記第１光信号を前記第１光信号の波長を切り替えながら前記光ファイバ側に出力し、
前記第２光トランシーバは、前記第１光信号の波長が受信可能な波長となったとき、受信した前記第１光信号の波長を識別して、前記第２光信号として、識別結果に基づいて決定した波長を有する光信号を前記光ファイバ側に出力し、
前記第１光トランシーバは、前記光ファイバ側から前記第２光信号を受信したとき、前記第１光信号の波長の切り替えを停止する、ものである。【００１２】
本開示の第２の態様に係る光トランシーバは、
自機と対向する他の光トランシーバとの間の一芯双方向通信を行うための媒体となる光ファイバ側に、第１光信号を出力する光出力部と、
前記光出力部で出力する前記第１光信号の波長を切り替える制御部と、
前記他の光トランシーバが前記第１光信号を受信したときに出力した、前記第１光信号の波長に予め対応付けられた波長の第２光信号を、前記光ファイバ側から入力する光入力部と、
を備え、
前記制御部は、前記光入力部で前記第２光信号を受信したとき、前記第１光信号の波長の切り替えを停止する、ものである。【００１３】
本開示の第３の態様に係る光トランシーバは、
自機と対向する他の光トランシーバとの間の一芯双方向通信を行うための媒体となる光ファイバ側から、波長を切り替えながら出力された第１光信号を入力する光入力部と、
前記光入力部で受信できた前記第１光信号の波長を識別して、識別結果に基づいて送信波長を決定する制御部と、
前記制御部で決定された前記送信波長を有する第２光信号を、前記光ファイバ側に出力する光出力部と、
を備えた、ものである。【００１４】
本開示の第４の態様に係る光トランシーバは、
自機と対向する他の光トランシーバとの間の一芯双方向通信を行うための媒体となる光ファイバ側に、第１光信号を出力する光出力部と、
前記光出力部で出力する前記第１光信号の波長を切り替える制御部と、
前記他の光トランシーバが前記第１光信号を受信したときに出力した、前記第１光信号の波長に予め対応付けられた波長の第２光信号を、前記光ファイバ側から入力する光入力部と、
を備え、
前記制御部は、前記光入力部で前記第２光信号を受信したとき、前記第１光信号の波長の切り替えを停止し、
前記光入力部は、前記光ファイバ側から、波長を切り替えながら出力された第３光信号を入力し、
前記制御部は、前記光入力部で受信できた前記第３光信号の波長を識別して、識別結果に基づいて送信波長を決定し、
前記光出力部は、前記制御部で決定された前記送信波長を有する第４光信号を、前記光ファイバ側に出力し、
前記光入力部で受信できる前記第３光信号の波長は、前記第２光信号の波長であり、
前記制御部で決定される前記第４光信号の波長は、前記他の光トランシーバが受信できる前記第１光信号の波長である、ものである。【００１５】
本開示の第５の態様に係る光通信方法は、
第１光トランシーバが、前記第１光トランシーバと対向する第２光トランシーバとの間の一芯双方向通信を行うための媒体となる光ファイバ側に、第１光信号を前記第１光信号の波長を切り替えながら出力する第１出力ステップと、
前記第２光トランシーバが、前記第１光信号の波長が受信可能な波長となったとき、受信した前記第１光信号の波長を識別して、識別結果に基づいて決定した波長を有する第２光信号を前記光ファイバ側に出力する第２出力ステップと、
前記第１光トランシーバが、前記光ファイバ側から前記第２光信号を受信したとき、前記第１光信号の波長の切り替えを停止するステップと、
を備えた、ものである。【００１６】
本開示の第６の態様に係るプログラムは、
光トランシーバが備える制御コンピュータに、
前記光トランシーバと対向する他の光トランシーバとの間の一芯双方向通信を行うための媒体となる光ファイバ側に出力する第１光信号の波長を切り替える切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
を実行させるためのプログラムである。【００１７】
本開示の第７の態様に係るプログラムは、
光トランシーバが備える制御コンピュータに、
前記光トランシーバと対向する他の光トランシーバとの間の一芯双方向通信を行うための媒体となる光ファイバ側から、波長を切り替えながら出力された第１光信号を受信したとき、受信した前記第１光信号の波長を識別する識別ステップと、
前記識別ステップでの識別結果に基づいて送信波長を決定する決定ステップと、
前記決定ステップで決定された前記送信波長になるように、前記光ファイバ側に出力させる第２光信号の波長を切り替える切替ステップと、
を実行させるためのプログラムである。【００１８】
本開示の第８の態様に係るプログラムは、
光トランシーバが備える制御コンピュータに、
前記光トランシーバと対向する他の光トランシーバとの間の一芯双方向通信を行うための媒体となる光ファイバ側に出力する第１光信号の波長を切り替える第１切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
前記光ファイバ側から、波長を切り替えながら出力された第３光信号を受信したとき、受信した前記第３光信号の波長を識別する識別ステップと、
前記識別ステップでの識別結果に基づいて送信波長を決定する決定ステップと、
前記決定ステップで決定された前記送信波長になるように、前記光ファイバ側に出力させる第４光信号の波長を切り替える第２切替ステップと、
を実行させるためのプログラムであり、
前記光ファイバ側から受信できる前記第３光信号の波長は、前記第２光信号の波長であり、
前記決定ステップで決定される前記第４光信号の波長は、前記他の光トランシーバが受信できる前記第１光信号の波長である。
【発明の効果】
【００１９】
本開示により、上記課題を解決する光通信システム、光トランシーバ、光通信方法、及びプログラムを提供することができる。即ち、本開示によれば、光通信システムにおいて、システム起動時や光トランシーバの増設時又は交換時における、光トランシーバ間での波長設定に要する時間を低減し、且つ増設又は交換用に用意する光トランシーバの種類を低減することができる。
【図面の簡単な説明】
【００２０】
【図１】実施形態１に係る光通信システムの一構成例を示す図である。
【図２】図１の光通信システムの一構成例を示すブロック図である。
【図３】実施形態１に係る光通信システムにおける波長設定処理の一例を説明するためのフロー図である。
【図４】実施形態２に係る光通信システムの一構成例を示すブロック図である。
【図５】図４の光通信システムにおける光トランシーバにおいて記憶される対応テーブルの一例を示す図である。
【図６】実施形態２に係る光通信システムにおける波長設定処理の一例を説明するためのフロー図である。
【図７】実施形態３に係る光通信システムの一構成例を示すブロック図である。
【図８】実施形態３に係る光通信システムの一構成例を示すブロック図である。
【図９】光トランシーバの一部のハードウェア構成の一例を示す図である。
【発明を実施するための形態】
【００２１】
以下、図面を参照して、実施形態について説明する。なお、実施形態において、同一又は同等の要素には、同一の符号を付し、重複する説明を省略する場合がある。
【００２２】
＜実施形態１＞
実施形態１に係る光通信システムについて、図１〜図３を参照しながら説明する。図１は、実施形態１に係る光通信システムの一構成例を示す図である。
【００２３】
図１に示すように、本実施形態に係る光通信システム（以下、本システム）は、第１光トランシーバ１と第２光トランシーバ２と光ファイバ３とを備え、互いに対向する第１光トランシーバ１と第２光トランシーバ２との間で光通信を行う。
【００２４】
第１光トランシーバ１は、第１光信号を出力する。第２光トランシーバ２は、第１光トランシーバ１と対向し、第２光信号を出力する。光ファイバ３は、第１光トランシーバ１と第２光トランシーバ２との間の一芯双方向通信を行うための媒体となる。つまり、本システムは、第１光トランシーバ１と第２光トランシーバ２とが単一の光ファイバ３でなる単一光路で接続される部分を含む。第１光トランシーバ１、第２光トランシーバ２は、それぞれ第１端局側の光トランシーバ、第２端局側の光トランシーバとすることができ、両端局が光ファイバ３を介して接続される。
【００２５】
図１では第１光トランシーバ１と第２光トランシーバ２とのセットが１つである例を図示しているが、本システムでは、第１端局側の光トランシーバと第２端局側の光トランシーバとでなるセット（ペア）を複数有することができる。なお、光トランシーバの増設時又は交換時などでは、一時的にセットの片割れが存在しない場面が生じ得る。
【００２６】
複数セットのいずれも、セット内の光トランシーバ間には上記単一の光ファイバ３で接続される部分が含まれる。この部分における光通信には、ＷＤＭ（Wavelength Division Multiplexing）伝送方式が採用される。つまり、本システムは、一芯双方向通信を行うＷＤＭ伝送ネットワークが含まれる。例えば、第１端局側、第２端局側にそれぞれ第１合分波器、第２合分波器を設けておき、２つの合分波器の間を単一の光ファイバ３で接続しておくことで、波長多重通信を行うことができる。
【００２７】
本システムのような光通信システムにおいては、各光トランシーバが送受信可能な光信号の波長は、接続する合分波器のポートが選択的に透過する波長により決められることができる。一例として、第１光トランシーバ１、第２光トランシーバ２が接続するポートがそれぞれλ１、λ２を透過するものである場合について説明する。この場合、第１トランシーバ１が第１光信号として波長λ１の光信号を出力し、対向するトランシーバ２は第２光信号として波長λ２の光信号を出力するときに、第１光トランシーバ１と第２光トランシーバ２との間で光通信を行うことが可能となる。なお、本実施形態及び後述の実施形態において、波長とは波長帯と称することができる程度の幅をもたせたものとすることもできる。
【００２８】
そして、運用開始段階では、上述のような対向光トランシーバ間での光通信を確立するために、各光トランシーバで適切な波長を設定しておく必要がある。ここで運用開始段階とは、システムの起動時、光トランシーバの交換時又は増設時などを指す。ここで、システムの起動時とは、システムの立ち上げ時を指すことができ、再起動時も含めることができる。
【００２９】
このような波長設定のために、本システムでは、次のような制御がなされる。
まず、第１光トランシーバ１は、第１光信号をその波長を切り替えながら光ファイバ３側に出力する。これにより、第１光トランシーバ１は、どの波長が光ファイバ３側に出力できるかをスキャンすることになる。また、第２光トランシーバ２は、受信可能な波長となるまで、第１光信号の受信ができないことになる。
【００３０】
第２光トランシーバ２は、第１光信号の波長が受信可能な波長（例えば波長λ１）となったとき、受信した第１光信号の波長を識別する。第２光トランシーバ２は、第２光信号として、この識別結果に基づいて決定した波長（例えば波長λ２）を有する光信号を光ファイバ３側に出力する。そして、第１光トランシーバ１は、光ファイバ３側から第２光信号（上述の例では波長λ２の光信号）を受信したとき、第１光信号の波長の切り替えを停止する。無論、第１光トランシーバ１と第２光トランシーバ２とは逆の構成とすることもでき、後述するように、各光トランシーバの制御として説明する制御をいずれも備える構成であってもよい。
【００３１】
次に、図２を参照しながら、各光トランシーバのより具体的な構成例について説明する。図２は、図１の光通信システムの一構成例を示すブロック図である。
【００３２】
図２に示すように、第１光トランシーバ１は、制御部１ａ、光出力部１ｂ、及び光入力部１ｃを備えることができる。光出力部１ｂは、自機と対向する他の光トランシーバ（ここでは第２光トランシーバ２）との間の一芯双方向通信を行うための媒体となる光ファイバ３側に、第１光信号を出力する。光出力部１ｂは、光信号を送信するため、送信部と称することもできる。光出力部１ｂは、送信対象の情報を示す電気信号を光信号（第１光信号）に変換して出力するように構成することができる。
【００３３】
制御部１ａは、光出力部１ｂで出力する第１光信号の波長を切り替える。制御部１ａは、このような切替制御を含め、第１光トランシーバ１の全体を制御する部位とすることができる。制御部１ａは、例えば、ＣＰＵ（Central Processing Unit）、作業用メモリ、及び第１光トランシーバ１の全体を制御するためのプログラムを記憶した不揮発性の記憶装置などによって実現することができる。つまり、制御部１ａは、上記プログラムが実行可能に組み込まれた制御コンピュータを有することができる。また、制御部１ａは、例えば集積回路（Integrated Circuit）によって実現することもできる。
【００３４】
光入力部１ｃは、他の光トランシーバ（ここでは第２光トランシーバ２）が第１光信号を受信したときに出力した、第１光信号の波長に予め対応付けられた波長の第２光信号を、光ファイバ３側から入力する。この対応付けの例については、実施形態２で後述する。光入力部１ｃは、光信号を受信するため、受信部と称することもできる。制御部１ａは、光入力部１ｃで第２光信号を受信したとき、第１光信号の波長の切り替えを停止する。光入力部１ｃは、第２光信号を入力し、それを電気信号に変換することで情報を受信するように構成することができる。
【００３５】
上述した制御部１ａに組み込まれたプログラムは、次の第１切替ステップ及び停止ステップをこの制御コンピュータに実行させるためのものである。第１切替ステップは、光ファイバ３側に出力する第１光信号の波長を切り替える。停止ステップは、第２光トランシーバ２が第１光信号を受信したときに出力した、第１光信号の波長に予め対応付けられた波長の第２光信号を受信したとき、第１光信号の波長の切り替えを停止する。
【００３６】
図２に示すように、第２光トランシーバ２は、制御部２ａ、光出力部２ｂ、及び光入力部２ｃを備えることができる。光入力部２ｃは、自機と対向する他の光トランシーバ（ここでは第１光トランシーバ１）との間の一芯双方向通信を行うための媒体となる光ファイバ３側から、波長を切り替えながら出力された第１光信号を入力する。光入力部２ｃは、光信号を受信するため、受信部と称することもできる。光入力部２ｃは、第１光信号を入力し、それを電気信号に変換することで情報を受信するように構成することができる。
【００３７】
制御部２ａは、光入力部２ｃで受信できた第１光信号の波長を識別して、識別結果に基づいて送信波長を決定する。制御部２ａは、このような識別及び決定の制御を含め、第２光トランシーバ２の全体を制御する部位とすることができる。制御部２ａは、例えば、ＣＰＵ、作業用メモリ、及び第２光トランシーバ２の全体を制御するためのプログラムを記憶した不揮発性の記憶装置などによって実現することができる。つまり、制御部２ａは、上記プログラムが実行可能に組み込まれた制御コンピュータを有することができる。また、制御部２ａは、例えば集積回路によって実現することもできる。
【００３８】
光出力部２ｂは、制御部２ａで決定された送信波長を有する第２光信号を、光ファイバ３側に出力する。光出力部２ｂは、光信号を送信するため、送信部と称することもできる。光出力部２ｂは、送信対象の情報を示す電気信号を光信号（第２光信号）に変換して出力するように構成することができる。
【００３９】
上述した制御部２ａに組み込まれたプログラムは、次の識別ステップ、決定ステップ、及び第２切替ステップをこの制御コンピュータに実行させるためのものである。識別ステップは、光ファイバ３側から、波長を切り替えながら出力された第１光信号を受信したとき、受信した第１光信号の波長を識別する。決定ステップは、識別ステップでの識別結果に基づいて送信波長を決定する。第２切替ステップは、決定ステップで決定された送信波長になるように、光ファイバ３側に出力させる第２光信号の波長を切り替える。
【００４０】
次に、図３を併せて参照しながら、本実施形態に係る光通信システムにおける波長設定処理の一例について説明する。図３は、この波長設定処理の一例を説明するためのフロー図である。
【００４１】
まず、第１光トランシーバ１が接続されると、第１光トランシーバ１が、複数の波長のうち１つを選択し、選択した波長に順次切り替えながら第１光信号を光ファイバ３側に出力する（ステップＳ１）。波長を切り替えた結果、第１光信号の波長が特定の波長（ここではλ１とする）となったとき（ステップＳ２でＹＥＳとなったとき）、第２光トランシーバ２にて第１光信号を受信可能となる。よって、このとき、第２光トランシーバ２は、第１光信号を光ファイバ３側から受信する（ステップＳ３）。
【００４２】
第２光トランシーバ２は、第１光信号の波長を識別し、自身が出力すべき第２光信号の波長を決定し（ステップＳ４）、決定した波長を有する第２光信号を光ファイバ３側に出力する（ステップＳ５）。第１光トランシーバ１は、第２光信号を受信し（ステップＳ６）、そのことをもって、波長切替を停止（λ１で波長を固定）する（ステップＳ７）。
【００４３】
以上のように、本システムは、ＷＤＭ伝送ネットワークにおいて、対向する両端局の光トランシーバの波長を可変にしつつ、各光トランシーバが出力すべき波長を特定可能とする波長制御機構を有し、これにより適切な波長での通信確立を行う。
【００４４】
このような構成により、本システムでは、システム起動時や光トランシーバの増設時又は交換時における、光トランシーバ間での波長設定に要する時間を低減すること、並びに増設又は交換用に用意する光トランシーバの種類を低減することができる。よって、本システムでは、その管理のためのコストを低減させることができる。
【００４５】
このような効果について具体的に説明する。まず、光トランシーバの管理コストを削減するためには、両端局において波長可変光トランシーバを採用可能な構成とし、用意する光トランシーバの種類を低減させることが望ましい。この点について、本実施形態では、第１光トランシーバ１は波長を切り替えながら出力を行うといった波長可変の構成を有し、また第２光トランシーバ２は受信できた波長に基づいて送信波長を決定するといった波長可変の構成を有することができる。このように、本システムにおける各光トランシーバは波長を選択的に切り替えて出力することができ、各光トランシーバにおいて起動時に波長不明のために不確定となっているポートを確定（認識）させることができる。これにより、本システムでは、両端局において光トランシーバに事前に出力すべき波長を設定することなく、波長調整（波長チューニング）を実行して接続されたポートに応じた適切な波長設定を行うことができる。したがって、増設や交換等に際して、光トランシーバをどのポートに接続するべきかを作業者が意識や意図することなく、例えば空ポートに接続するだけで適切な波長設定を自動的に行うことができる。
【００４６】
さらに両端局において波長可変の構成の光トランシーバを採用する場合には、両端局における適切な波長設定のための工数及び時間を削減することが望ましい。この点についても、本実施形態では、対向する光トランシーバにおいては、受信波長を識別して自身が出力すべき波長を決定するため、波長切替を行わずに波長チューニングが可能となり、システム全体として波長設定に要する時間を削減できる。つまり、本実施形態では、双方の端局側でのスキャンに比べて短時間で、波長設定を行うことができる。
【００４７】
また、例えば５Ｇネットワークにおけるアンテナ局と端局間通信（モバイルフロントホール通信）には、ＷＤＭ伝送が適用され、各局舎には光信号を出力する光トランシーバが設けられる。対向する光トランシーバ間は、単一の光ファイバ３にて光信号の送受信（一芯双方向通信）を行う。本実施形態では、このようなモバイルフロントホール通信にも有益に適用することができる。
【００４８】
ここで、各光トランシーバの制御として説明した制御をいずれも備える構成の光トランシーバについて、簡単に説明する。なお、第１光トランシーバ１をこのような構成とした例について説明するが、第２光トランシーバ２についても同様の構成を採用することができる。この構成における第１光トランシーバ１は、制御部１ａ、光出力部１ｂ、及び光入力部１ｃに、それぞれ制御部２ａ、光出力部２ｂ、及び光入力部２ｃにおける制御も実行させるようにした（各部２ａ，２ｂ，２ｃの機能をもたせた）ものとなる。
【００４９】
まず、第１光トランシーバ１を新たに接続する場合の制御は、上述したように次のようになる。即ち、光出力部１ｂは、光ファイバ３側に第１光信号を出力し、制御部１ａは、光出力部１ｂで出力する第１光信号の波長を切り替える。光入力部１ｃは、他の光トランシーバ（ここでは第２光トランシーバ２）が第１光信号を受信したときに出力した、第１光信号の波長に予め対応付けられた波長の第２光信号を、光ファイバ３側から入力する。制御部１ａは、光入力部１ｃで第２光信号を受信したとき、第１光信号の波長の切り替えを停止する。
【００５０】
次に、第１光トランシーバ１が既に接続済みである場合の制御について説明する。この制御は、第２光トランシーバ２の制御として説明したように、次のようになる。即ち、光入力部１ｃは、光ファイバ３側から、波長を切り替えながら出力された第３光信号を入力する。制御部１ａは、光入力部１ｃで受信できた第３光信号の波長を識別して、識別結果に基づいて送信波長を決定する。光出力部１ｂは、制御部１ａで決定された送信波長を有する第４光信号を、光ファイバ３側に出力する。
【００５１】
ここでは、光信号の名称を変えて説明しているが、光入力部１ｃで受信できる第３光信号の波長は、第２光信号の波長であり、制御部１ａで決定される第４光信号の波長は、上記他の光トランシーバが受信できる第１光信号の波長である。
【００５２】
このような構成における第１光トランシーバ１が備える制御コンピュータには、次のようなプログラムを実行可能に組み込むことができる。即ち、このプログラムは、この制御コンピュータに、上述した第１切替ステップ、停止ステップ、識別ステップ、決定ステップ、及び第２切替ステップを実行させるためのプログラムである。なお、識別ステップ、決定ステップ、及び第２切替ステップも、上述したものと基本的に同様であり、光信号の名称を変えたものに過ぎない。
【００５３】
このような構成を採用することで、第１端局側及び第２端局側のいずれの光トランシーバについても共通化を図ることができる。また、ここで説明したような両機能を有する光トランシーバは、後述する実施形態で説明する例も適用することができる。
【００５４】
ここで、本システムにおける光通信方法について、補足する。本システムは、その波長設定処理を説明したように、次のような第１出力ステップ、第２出力ステップ、及び停止ステップを備えた光通信方法を実行することができる。この第１出力ステップは、第１光トランシーバ１が、第１光トランシーバ１と対向する第２光トランシーバ２との間の一芯双方向通信を行うための媒体となる光ファイバ３側に、第１光信号をその波長を切り替えながら出力する。この第２出力ステップは、第２光トランシーバ２が、第１光信号の波長が受信可能な波長となったとき、受信した第１光信号の波長を識別して、識別結果に基づいて決定した波長を有する第２光信号を光ファイバ３側に出力する。この停止ステップは、第１光トランシーバ１が、光ファイバ３側から第２光信号を受信したとき、第１光信号の波長の切り替えを停止する。その他の例については上述した通りであり、また後述する実施形態で説明する例も適用することができる。
【００５５】
＜実施形態２＞
実施形態２について、図４〜図６を併せて参照しながら、実施形態１との相違点を中心に説明するが、実施形態１で説明した様々な例が適用できる。図４は、実施形態２に係る光通信システムの一構成例を示すブロック図で、図５は、図４の光通信システムにおける光トランシーバにおいて記憶される対応テーブルの一例を示す図である。
【００５６】
図３に示すように、本実施形態に係る光通信システム（以下、本システム）は、第１端局１０と第２端局２０とが単一の光ファイバ３で接続されている。そして、第１端局１０は、ｎ台（ｎは正の整数）の光トランシーバ１１−１〜１１−ｎと、それらに接続された第１合分波器１２と、を備える。第２端局２０は、ｎ台の光トランシーバ２１−１〜２１−ｎと、それらに接続された第２合分波器２２と、を備える。以下では、光トランシーバ１１−１〜１１−ｎについて区別無く説明を行う場合には光トランシーバ１１として説明し、光トランシーバ２１−１〜２１−ｎについて区別無く説明を行う場合には光トランシーバ２１として説明する。
【００５７】
光ファイバ３は、第１合分波器１２と第２合分波器２２との間に配置されることになる。第１合分波器１２、第２合分波器２２はいずれも、例えばＡＷＧ（Arrayed Waveguide Grating）等とすることができる。そして、対向する光トランシーバ１１，２１間では、第１合分波器１２及び第２合分波器２２を介した光信号の送受信が行われる。各光トランシーバ１１，２１から出力される光信号は、合波された後に光ファイバ網の光ファイバ３を伝送し、対向する局の合分波器にて分波された後に対向する光トランシーバ２１，１１にて受信されることになる。逆方向の通信についても同様である。
【００５８】
また、光トランシーバ１１−１が交換又は増設により新たに接続される第１端局１０側の光トランシーバであり、接続済みの光トランシーバ２１−ｎがその第１光トランシーバ１１−１に対向する第２端局２０側の光トランシーバである場面について説明する。つまり、光トランシーバ１１−２〜１１−ｎが第１合分波器１２の各ポートに接続済みで且つ光トランシーバ２１−１〜２１−ｎが第２合分波器２２の各ポートに接続済みの状態において、新たに第１トランシーバ１１−１が接続される場面について説明する。なお、同時に複数台の光トランシーバを新たに接続した場合でも、それに対向する光トランシーバが接続されていれば、同様に以下の説明が援用できる。
【００５９】
例えば、第１光トランシーバ１１−１の構成は図２の第１光トランシーバ１と同様とすることができ、第２光トランシーバ２１−ｎの構成は図２の第２光トランシーバ２と同様とすることができるが、いずれの構成も両機能を有するものとすることができる。また、他の光トランシーバ１１−２〜１１−ｎ，２１−１〜２１−（ｎ−１）についても同様である。つまり、これらの光トランシーバについては、第１端局１０側の光トランシーバとそれに対向する第２端局２０側の光トランシーバとのうち、いずれか一方が図２の第１光トランシーバ１の機能を、他方が図２の第２光トランシーバ２の機能を有することができる。また、これらの光トランシーバのいずれも、両機能を有することができる。
【００６０】
第１光トランシーバ１１−１は、接続する第１合分波器１２のポートに応じて、送受信可能な波長が決定される。ここで、第１光トランシーバ１１−１が接続される第１合分波器１２のポートで送信可能な波長（送信波長、つまり出力波長）をλ１、そのポートで受信可能な波長（受信波長、つまり入力波長）をλ２とする。つまり、第１合分波器１２は、第１光トランシーバ１１−１から波長λ１の光信号を入力可能で且つ第１光トランシーバ１１−１に波長λ２の光信号を出力可能であるポートを有するものとする。
【００６１】
第１光トランシーバ１１−１は、複数の波長のうち１つを選択し、例えば所定間隔で、順次切り替えて光信号を出力可能な構成を有する。上述したように、第１合分波器１２において各ポートに入出力可能な波長は固定であり、また互いに異なるものとする。なお、他の光トランシーバ１１−２〜１１−ｎが接続される各ポートは、λ１，λ２と異なり且つ互いに異なる送信波長の光信号及び受信波長が透過可能となっている。
【００６２】
第２光トランシーバ２１−ｎは、接続する第２合分波器２２のポートに応じて、送受信可能な波長が決定される。ここでは、第２光トランシーバ２１−ｎが第１光トランシーバ１１−１と対向して通信を行う光トランシーバである場合を説明しているため、その送信波長がλ２、その受信波長がλ１となる。つまり、第２合分波器２２は、第２光トランシーバ２１−ｎから波長λ２の光信号を入力可能で且つ第２光トランシーバ２１−ｎに波長λ１の光信号を出力可能であるポートを有する。第２合分波器２２においても、各ポートに入出力可能な波長は固定であり、また互いに異なるものとする。
【００６３】
そして、第２光トランシーバ２１−ｎは、第１光トランシーバ１１−１から入力する第１光信号の波長を識別し、識別した波長に基づいて自身が出力すべき波長を決定し、その波長の光信号（第２光信号）を出力する。また、第１光トランシーバ１１−１は、第２光信号を受信したことをもって、波長の切り替えを停止する（λ１で固定する）。
【００６４】
本実施形態では、第１光トランシーバ１１−１は、第１光信号に第１光信号の波長を示す情報（第１情報）を含めて光ファイバ３側に出力するように構成することができる。図２の例では、光出力部１ｂが第１光信号に第１情報を含めて光ファイバ３側に出力する。第１情報は、第１光信号の例えばヘッダ情報などとして含めておくことができる。このように、本実施形態では、第１光信号には出力時の波長が含まれているようにすることができる。
【００６５】
第１光トランシーバ１１−１に対向する第２光トランシーバ２１−ｎは、受信した第１光信号の波長を第１情報に基づいて識別することができ、その識別結果に基づいて波長を決定することができる。図２の例では、制御部２ａが第１光トランシーバ１１−１から受信した第１光信号の波長を、第１光信号に含まれる情報に基づいて識別する。
【００６６】
また、第２光トランシーバ２１−ｎは、受信波長（入力波長）と送信波長（出力波長）との対応関係を記憶する記憶部を有することが好ましい。この記憶部は、例えば図２の制御部２ａに備えることができる。また、対応関係は、例えば図５に示すテーブル５０のようなテーブルとして記憶させておくことができる。テーブル５０では、λ１−１とλ２−１が対応し、λ１−２とλ２−２が対応するなどの対応関係が記述されている。
【００６７】
そして、第２光トランシーバ２１−ｎ、例えばその制御部２ａは、上記識別結果及び上記対応関係に基づいて、上記識別結果が示す波長と一致する受信波長に対応した送信波長を、第２光信号の波長として決定するように構成することができる。
【００６８】
次に、図６を併せて参照しながら、本実施形態に係る光通信システムにおける波長設定処理の一例について説明する。図６は、この波長設定処理の一例を説明するためのフロー図である。なお、時系列を示すため、図６では図３と異なる記載方法でフローを図示している。
【００６９】
まず、第１光トランシーバ１１−１が第１合分波器１２に接続されると、第１光トランシーバ１１−１が、複数の波長のうち１つを選択し、選択した波長を示す情報を含めた第１光信号を出力する（ステップＳ１１）。次いで、第１光トランシーバ１１−１は、対向する第２光トランシーバ２１−ｎから第２光信号を受信したか否かを判定し（ステップＳ１２）、受信しなかった場合（ＮＯの場合）、ステップＳ１１に戻り次の波長を選択する（ステップＳ１３）。ステップＳ１２でＹＥＳとなった段階で、波長切替を停止（λ１−１で固定）する（ステップＳ１３）。
【００７０】
第２光トランシーバ２１−ｎは、ステップＳ１１での波長の切り替え及び第１光信号の出力の結果、第１光信号の波長が特定の波長（λ１−１）となったとき、第１光信号を受信可能となる。よって、第２光トランシーバ２１−ｎは、第１光信号を受信したか否かを判定する（ステップＳ２１）。ステップＳ２１でＹＥＳの場合、第２光トランシーバ２１−ｎは、第１光信号に含まれる情報からその波長（λ１−１）を読み取り、テーブル５０を参照してその波長に予め対応付けられた波長（λ２−１）を、出力波長に決定する（ステップＳ２２）。次いで、第２光トランシーバ２１−ｎは、この波長（λ２−１）を有する第２光信号を出力する（ステップＳ２３）。
【００７１】
以上の説明から明らかなように、本実施形態によれば実施形態１による効果を奏し、あらに、対向する第２光トランシーバ２１−ｎにおいて受信波長の判別を波長の解析などの処理に依らずとも簡単に行うことができる。また、本実施形態では、対向両側の波長情報を受け渡しするのではなく、片側の波長情報のみをトリガとしてもう一方の波長チューニングを行うことができる。さらに、本実施形態によれば、対応関係を記憶させておくことで、光トランシーバ１１，２１をどの端局側のどのポートに接続しても適切に波長設定を行うことができる。
【００７２】
以上の例では、第１合分波器１２や第２合分波器２２の各ポートが送受信ポートであることを前提として説明した。このような送受信ポートとしては、例えばＢＯＳＡ（Bi-directional Optical Sub Assembly）が挙げられる。そして、以上の例では、このように合分波器と光トランシーバとが１芯で接続されることを前提として説明した。つまり、第１合分波器１２は、第１光トランシーバ１１−１に接続するための送受信ポートを有し、第２合分波器２２は、第２光トランシーバ２１−ｎに接続するための送受信ポートを有することを前提とした。この場合、上述したように、第１光トランシーバ１１−１が接続された第１合分波器１２の送受信ポートに応じて、第１光トランシーバ１１−１で送受信可能な波長が規定されている。また、第２光トランシーバ２１−ｎが接続された第２合分波器２２の送受信ポートに応じて、第２光トランシーバ２１−ｎで送受信可能な波長が規定されている。他の光トランシーバ１１，２１についても同様である。
【００７３】
一方で、送信ポートと受信ポートとは別々に構成し、合分波器と光トランシーバとを２芯で接続することもできる。例えば送信ポートはＴＯＳＡ（Transmitter Optical Sub Assembly）、受信ポートはＲＯＳＡ（Receiver Optical Sub Assembly）とすることができる。つまり、第１合分波器１２は第１光トランシーバ１１−１に接続するための送信ポート及び受信ポートを有し、第２合分波器２２は第２光トランシーバ２１−ｎに接続するための送信ポート及び受信ポートを有することができる。この場合、第１光トランシーバ１１−１が接続された第１合分波器１２の送信ポート及び受信ポートに応じて、それぞれ第１光トランシーバ１１−１から送信可能な波長及び第１光トランシーバ１１−１で受信可能な波長が規定されている。また、第２光トランシーバ２１−ｎが接続された第２合分波器２２の送信ポート及び受信ポートに応じて、それぞれ第２光トランシーバ２１−ｎから送信可能な波長及び第２光トランシーバ２１−ｎで受信可能な波長が規定されている。他の光トランシーバ１１，２１についても同様である。
【００７４】
＜実施形態３＞
実施形態３について、図７及び図８を併せて参照しながら、実施形態２との相違点を中心に説明する。但し、実施形態３は、適宜、実施形態１，２で説明した様々な例が適用できる。図７及び図８は、実施形態３に係る光通信システムの一構成例を示すブロック図で、図７は対向する光トランシーバがない場合を示す例、図８は対向する光トランシーバが接続された時点を示す例である。
【００７５】
本実施形態では、図７に示すように、第１端局１０側で第１光トランシーバ１１−１を接続した場合に、それに対向する光トランシーバが第２端局２０側に存在しない場合について説明する。
【００７６】
本実施形態における第１光トランシーバ１１−１は、所定回数、波長の切り替えを実行しても光ファイバ３側から第２光信号を受信できなかった場合、第１光信号の出力を停止する。つまり、第１端局１０と第２端局２０における互いに対向する光トランシーバのうち、ポートに接続を行った側がこのようなスキャンを開始する。ここで、所定回数とは、波長のセットが１０セットあった場合で例示すると、例えば（λ１−１〜λ１−１０の一巡となる１０回であってもよいし、それより少ない２回や５回などであってもよいし、λ１−１〜λ１−１０のｍ巡（ｍは正の整数）であってもよい。そして、第２光信号を受信できなかった場合、第１光トランシーバ１１−１は、第２端局２０における、第１光トランシーバ１１−１１に対向する光トランシーバが接続されることを待つスタンバイ状態となる。
【００７７】
このようなスタンバイ状態において（つまり第１光信号の出力の停止後に）、図８に示すように、スタンバイ状態の第１光トランシーバ１１−１に対向する第２光トランシーバ２１−ｎが接続された場合、次のような制御がなされる。即ち、接続された第２光トランシーバ２１−ｎは、第２光信号を第２光信号の波長を切り替えながら光ファイバ３側に出力する。そして、第１光トランシーバ１１−１は、第２光信号の波長が受信可能な波長となったとき、受信した第２光信号の波長を識別して、第１光信号として、識別結果に基づいて決定した波長を有する光信号を光ファイバ３側に出力する。さらに、図４に示した状態のようになったとき、つまり第２光トランシーバ２１−ｎが光ファイバ３側から第１光信号を受信したとき、第２光トランシーバ２１−ｎは第２光信号の波長の切り替えを停止する。
【００７８】
また、本実施形態においても、第２光トランシーバ２１−ｎは、受信波長と送信波長との対応関係を記憶する記憶部を有することが望ましい。そして、第２光トランシーバ２１−ｎは、上記識別結果及び上記対応関係に基づいて、上記識別結果が示す波長と一致する受信波長に対応した送信波長を、第２光信号の波長として決定することが望ましい。そして、本実施形態では、第１光トランシーバ１１−１も同様に、上記対応関係を記憶する記憶部を有することが望ましい。そして、第１光トランシーバ１１−１も同様に、上記識別結果及びその記憶部に記憶された上記対応関係に基づいて、上記識別結果が示す波長と一致する受信波長に対応した送信波長を、第１光信号の波長として決定することが望ましい。
【００７９】
以上、本実施形態によれば、第１又は第２の実施形態による効果に加えて、光トランシーバをポートに接続した時点でそれに対向する光トランシーバが接続されていなかった場合にも、その接続を待って波長設定を行うことができる。さらに、本実施形態によれば、対応関係を記憶させておくことで、光トランシーバ１１，２１をどの端局側のどのポートに接続しても適切に波長設定を行うことができる。
【００８０】
＜他の実施形態＞
上述した各実施形態では、光トランシーバの各部の機能について説明したが、光トランシーバとしてこれらの機能が実現できればよい。また、上述した各実施形態では、光通信システムの構成について例示したが、例示したものに限ったものではない。また、各実施形態において説明した様々な例は、適宜組み合わせることができる。
【００８１】
また、各実施形態に係る光トランシーバは、次のようなハードウェア構成を有することができる。図９は、各実施形態に係る光トランシーバの一部のハードウェア構成の一例を示す図である。
【００８２】
図９に示す光トランシーバ１００は、プロセッサ１０１、メモリ１０２、及びインタフェース１０３を有する。インタフェース１０３は、図示しない光出力デバイス及び光入力デバイスとのインタフェースとすることができる。各実施形態で説明した各部の機能は、プロセッサ１０１がメモリ１０２に記憶されたプログラムを読み込んで、インタフェース１０３と協働しながら実行することにより実現される。このプログラムは、各実施形態で説明したプログラムとすることができる。
【００８３】
上述の例において、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、上記プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
なお、本開示は上述した様々な実施形態に限られたものではなく、趣旨を逸脱しない範囲で適宜変更することが可能である。また、本開示は、それぞれの実施形態を適宜組み合わせて実施されてもよい。
【００８５】
上記の実施形態の一部又は全部は、以下の付記のようにも記載されうるが、以下には限られない。
＜付記＞
【００８６】
（付記１）
第１光信号を出力する第１光トランシーバと、
前記第１光トランシーバと対向し、第２光信号を出力する第２光トランシーバと、
前記第１光トランシーバと前記第２光トランシーバとの間の一芯双方向通信を行うための媒体となる光ファイバと、
を備え、
前記第１光トランシーバは、前記第１光信号を前記第１光信号の波長を切り替えながら前記光ファイバ側に出力し、
前記第２光トランシーバは、前記第１光信号の波長が受信可能な波長となったとき、受信した前記第１光信号の波長を識別して、前記第２光信号として、識別結果に基づいて決定した波長を有する光信号を前記光ファイバ側に出力し、
前記第１光トランシーバは、前記光ファイバ側から前記第２光信号を受信したとき、前記第１光信号の波長の切り替えを停止する、
光通信システム。
【００８７】
（付記２）
前記第１光トランシーバは、前記第１光信号に前記第１光信号の波長を示す情報を含めて前記光ファイバ側に出力し、
前記第２光トランシーバは、受信した前記第１光信号の波長を前記情報に基づいて識別する、
付記１に記載の光通信システム。
【００８８】
（付記３）
前記第２光トランシーバは、受信波長と送信波長との対応関係を記憶する記憶部を有し、前記識別結果及び前記対応関係に基づいて、前記識別結果が示す波長と一致する受信波長に対応した送信波長を、前記第２光信号の波長として決定する、
付記１又は２に記載の光通信システム。
【００８９】
（付記４）
前記第１光トランシーバは、所定回数、波長の切り替えを実行しても前記光ファイバ側から前記第２光信号を受信できなかった場合、前記第１光信号の出力を停止し、
前記第１光信号の出力の停止後に前記第２光トランシーバが接続された場合、
接続された前記第２光トランシーバは、前記第２光信号を前記第２光信号の波長を切り替えながら前記光ファイバ側に出力し、
前記第１光トランシーバは、前記第２光信号の波長が受信可能な波長となったとき、受信した前記第２光信号の波長を識別して、前記第１光信号として、識別結果に基づいて決定した波長を有する光信号を前記光ファイバ側に出力し、
前記第２光トランシーバは、前記光ファイバ側から前記第１光信号を受信したとき、前記第２光信号の波長の切り替えを停止する、
付記１又は２に記載の光通信システム。
【００９０】
（付記５）
前記第２光トランシーバは、受信波長と送信波長との対応関係を記憶する記憶部を有し、前記識別結果及び前記対応関係に基づいて、前記識別結果が示す波長と一致する受信波長に対応した送信波長を、前記第２光信号の波長として決定し、
前記第１光トランシーバは、前記対応関係を記憶する記憶部を有し、前記識別結果及び前記対応関係に基づいて、前記識別結果が示す波長と一致する受信波長に対応した送信波長を、前記第１光信号の波長として決定する、
付記４に記載の光通信システム。
【００９１】
（付記６）
前記第１光トランシーバに接続するための送信ポート及び受信ポートを有する第１合分波器と、前記第２光トランシーバに接続するための送信ポート及び受信ポートを有する第２合分波器と、を備え、
前記光ファイバは、前記第１合分波器と前記第２合分波器との間に配置され、
前記第１光トランシーバが接続された前記第１合分波器の送信ポート及び受信ポートに応じて、それぞれ前記第１光トランシーバから送信可能な波長及び前記第１光トランシーバで受信可能な波長が規定され、
前記第２光トランシーバが接続された前記第２合分波器の送信ポート及び受信ポートに応じて、それぞれ前記第２光トランシーバから送信可能な波長及び前記第２光トランシーバで受信可能な波長が規定されている、
付記１〜５のいずれか１項に記載の光通信システム。
【００９２】
（付記７）
前記第１光トランシーバに接続するための送受信ポートを有する第１合分波器と、前記第２光トランシーバに接続するための送受信ポートを有する第２合分波器と、を備え、
前記光ファイバは、前記第１合分波器と前記第２合分波器との間に配置され、
前記第１光トランシーバが接続された前記第１合分波器の送受信ポートに応じて、前記第１光トランシーバで送受信可能な波長が規定され、
前記第２光トランシーバが接続された前記第２合分波器の送受信ポートに応じて、前記第２光トランシーバで送受信可能な波長が規定されている、
付記１〜５のいずれか１項に記載の光通信システム。
【００９３】
（付記８）
自機と対向する他の光トランシーバとの間の一芯双方向通信を行うための媒体となる光ファイバ側に、第１光信号を出力する光出力部と、
前記光出力部で出力する前記第１光信号の波長を切り替える制御部と、
前記他の光トランシーバが前記第１光信号を受信したときに出力した、前記第１光信号の波長に予め対応付けられた波長の第２光信号を、前記光ファイバ側から入力する光入力部と、
を備え、
前記制御部は、前記光入力部で前記第２光信号を受信したとき、前記第１光信号の波長の切り替えを停止する、
光トランシーバ。
【００９４】
（付記９）
前記光出力部は、前記第１光信号に前記第１光信号の波長を示す情報を含めて前記光ファイバ側に出力する、
付記８に記載の光トランシーバ。
【００９５】
（付記１０）
自機と対向する他の光トランシーバとの間の一芯双方向通信を行うための媒体となる光ファイバ側から、波長を切り替えながら出力された第１光信号を入力する光入力部と、
前記光入力部で受信できた前記第１光信号の波長を識別して、識別結果に基づいて送信波長を決定する制御部と、
前記制御部で決定された前記送信波長を有する第２光信号を、前記光ファイバ側に出力する光出力部と、
を備えた、
光トランシーバ。
【００９６】
（付記１１）
前記制御部は、前記他の光トランシーバから受信した前記第１光信号の波長を、前記第１光信号に含まれる情報に基づいて識別する、
付記１０に記載の光トランシーバ。
【００９７】
（付記１２）
前記制御部は、受信波長と送信波長との対応関係を記憶する記憶部を有し、前記識別結果及び前記対応関係に基づいて、前記識別結果が示す波長と一致する受信波長に対応した送信波長を、前記第２光信号の送信波長として決定する、
付記１０又は１１に記載の光トランシーバ。
【００９８】
（付記１３）
自機と対向する他の光トランシーバとの間の一芯双方向通信を行うための媒体となる光ファイバ側に、第１光信号を出力する光出力部と、
前記光出力部で出力する前記第１光信号の波長を切り替える制御部と、
前記他の光トランシーバが前記第１光信号を受信したときに出力した、前記第１光信号の波長に予め対応付けられた波長の第２光信号を、前記光ファイバ側から入力する光入力部と、
を備え、
前記制御部は、前記光入力部で前記第２光信号を受信したとき、前記第１光信号の波長の切り替えを停止し、
前記光入力部は、前記光ファイバ側から、波長を切り替えながら出力された第３光信号を入力し、
前記制御部は、前記光入力部で受信できた前記第３光信号の波長を識別して、識別結果に基づいて送信波長を決定し、
前記光出力部は、前記制御部で決定された前記送信波長を有する第４光信号を、前記光ファイバ側に出力し、
前記光入力部で受信できる前記第３光信号の波長は、前記第２光信号の波長であり、
前記制御部で決定される前記第４光信号の波長は、前記他の光トランシーバが受信できる前記第１光信号の波長である、
光トランシーバ。
【００９９】
（付記１４）
前記光出力部は、前記第１光信号に前記第１光信号の波長を示す情報を含めて前記光ファイバ側に出力し、
前記制御部は、前記光入力部で受信できた前記第３光信号の波長を、前記第３光信号に含まれる情報に基づいて識別する、
付記１３に記載の光トランシーバ。
【０１００】
（付記１５）
前記光出力部は、所定回数、波長の切り替えを実行しても前記光ファイバ側から前記第２光信号を受信できなかった場合、前記第１光信号の出力を停止し、
前記制御部は、前記第１光信号の出力の停止後に、前記光入力部で前記第３光信号を受信できた場合に、前記光入力部で受信できた前記第３光信号の波長を識別する、
付記１３又は１４に記載の光トランシーバ。
【０１０１】
（付記１６）
前記制御部は、受信波長と送信波長との対応関係を記憶する記憶部を有し、前記識別結果及び前記対応関係に基づいて、前記識別結果が示す波長と一致する受信波長に対応した送信波長を、前記第４光信号の波長として決定する、
付記１３〜１５のいずれか１項に記載の光トランシーバ。
【０１０２】
（付記１７）
前記光ファイバは、前記光トランシーバに接続するための送信ポート及び受信ポートを有する第１合分波器と、前記他の光トランシーバに接続するための送信ポート及び受信ポートを有する第２合分波器と、の間に配置され、
前記光トランシーバが接続された前記第１合分波器の送信ポート及び受信ポートに応じて、それぞれ前記光トランシーバから送信可能な波長及び前記光トランシーバで受信可能な波長が規定され、
前記他の光トランシーバが接続された前記第２合分波器の送信ポート及び受信ポートに応じて、それぞれ前記他の光トランシーバから送信可能な波長及び前記他の光トランシーバで受信可能な波長が規定されている、
付記８〜１６のいずれか１項に記載の光トランシーバ。
【０１０３】
（付記１８）
前記光ファイバは、前記光トランシーバに接続するための送受信ポートを有する第１合分波器と、前記他の光トランシーバに接続するための送受信ポートを有する第２合分波器と、の間に配置され、
前記光トランシーバが接続された前記第１合分波器の送受信ポートに応じて、前記光トランシーバで送受信可能な波長が規定され、
前記他の光トランシーバが接続された前記第２合分波器の送受信ポートに応じて、前記他の光トランシーバで送受信可能な波長が規定されている、
付記８〜１６のいずれか１項に記載の光トランシーバ。
【０１０４】
（付記１９）
第１光トランシーバが、前記第１光トランシーバと対向する第２光トランシーバとの間の一芯双方向通信を行うための媒体となる光ファイバ側に、第１光信号を前記第１光信号の波長を切り替えながら出力する第１出力ステップと、
前記第２光トランシーバが、前記第１光信号の波長が受信可能な波長となったとき、受信した前記第１光信号の波長を識別して、識別結果に基づいて決定した波長を有する第２光信号を前記光ファイバ側に出力する第２出力ステップと、
前記第１光トランシーバが、前記光ファイバ側から前記第２光信号を受信したとき、前記第１光信号の波長の切り替えを停止するステップと、
を備えた、光通信方法。
【０１０５】
（付記２０）
前記第１出力ステップは、前記第１光信号に前記第１光信号の波長を示す情報を含めて前記光ファイバ側に出力し、
前記第２出力ステップは、受信した前記第１光信号の波長を前記情報に基づいて識別する、
付記１９に記載の光通信方法。
【０１０６】
（付記２１）
前記第２出力ステップは、受信波長と送信波長との対応関係及び前記識別結果に基づいて、前記識別結果が示す波長と一致する受信波長に対応した送信波長を、前記第２光信号の波長として決定する、
付記１９又は２０に記載の光通信方法。
【０１０７】
（付記２２）
前記第１光トランシーバが、所定回数、波長の切り替えを実行しても前記光ファイバ側から前記第２光信号を受信できなかった場合、前記第１光信号の出力を停止するステップと、
前記第１光信号の出力の停止後に前記第２光トランシーバが接続された場合、接続された前記第２光トランシーバが、前記第２光信号を前記第２光信号の波長を切り替えながら前記光ファイバ側に出力する第３出力ステップと、
前記第１光トランシーバが、前記第２光信号の波長が受信可能な波長となったとき、受信した前記第２光信号の波長を識別して、前記第１光信号として、識別結果に基づいて決定した波長を有する光信号を前記光ファイバ側に出力する第４出力ステップと、
前記第２光トランシーバが、前記光ファイバ側から前記第１光信号を受信したとき、前記第２光信号の波長の切り替えを停止するステップと、
を備えた、付記１９又は２０に記載の光通信方法。
【０１０８】
（付記２３）
前記第２出力ステップは、受信波長と送信波長との対応関係及び前記識別結果に基づいて、前記識別結果が示す波長と一致する受信波長に対応した送信波長を、前記第２光信号の波長として決定し、
前記第４出力ステップは、前記対応関係及び前記識別結果に基づいて、前記識別結果が示す波長と一致する受信波長に対応した送信波長を、前記第１光信号の波長として決定する、
付記２２に記載の光通信方法。
【０１０９】
（付記２４）
前記光ファイバは、前記第１光トランシーバに接続するための送信ポート及び受信ポートを有する第１合分波器と、前記第２光トランシーバに接続するための送信ポート及び受信ポートを有する第２合分波器と、の間に配置され、
前記第１光トランシーバが接続された前記第１合分波器の送信ポート及び受信ポートに応じて、それぞれ前記第１光トランシーバから送信可能な波長及び前記第１光トランシーバで受信可能な波長が規定され、
前記第２光トランシーバが接続された前記第２合分波器の送信ポート及び受信ポートに応じて、それぞれ前記第２光トランシーバから送信可能な波長及び前記第２光トランシーバで受信可能な波長が規定されている、
付記１９〜２３のいずれか１項に記載の光通信方法。
【０１１０】
（付記２５）
前記光ファイバは、前記第１光トランシーバに接続するための送受信ポートを有する第１合分波器と、前記第２光トランシーバに接続するための送受信ポートを有する第２合分波器と、の間に配置され、
前記第１光トランシーバが接続された前記第１合分波器の送受信ポートに応じて、前記第１光トランシーバで送受信可能な波長が規定され、
前記第２光トランシーバが接続された前記第２合分波器の送受信ポートに応じて、前記第２光トランシーバで送受信可能な波長が規定されている、
付記１９〜２３のいずれか１項に記載の光通信方法。
【０１１１】
（付記２６）
光トランシーバが備える制御コンピュータに、
前記光トランシーバと対向する他の光トランシーバとの間の一芯双方向通信を行うための媒体となる光ファイバ側に出力する第１光信号の波長を切り替える切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
を実行させるためのプログラム。
【０１１２】
（付記２７）
前記切替ステップは、前記第１光信号に前記第１光信号の波長を示す情報を含めるステップを含む、
付記２６に記載のプログラム。
【０１１３】
（付記２８）
光トランシーバが備える制御コンピュータに、
前記光トランシーバと対向する他の光トランシーバとの間の一芯双方向通信を行うための媒体となる光ファイバ側から、波長を切り替えながら出力された第１光信号を受信したとき、受信した前記第１光信号の波長を識別する識別ステップと、
前記識別ステップでの識別結果に基づいて送信波長を決定する決定ステップと、
前記決定ステップで決定された前記送信波長になるように、前記光ファイバ側に出力させる第２光信号の波長を切り替える切替ステップと、
を実行させるためのプログラム。
【０１１４】
（付記２９）
前記識別ステップは、前記他の光トランシーバから受信した前記第１光信号の波長を、前記第１光信号に含まれる情報に基づいて識別する、
付記２８に記載のプログラム。
【０１１５】
（付記３０）
前記決定ステップは、受信波長と送信波長との対応関係及び前記識別結果に基づいて、前記識別結果が示す波長と一致する受信波長に対応した送信波長を、前記第２光信号の送信波長として決定する、
付記２８又は２９に記載のプログラム。
【０１１６】
（付記３１）
光トランシーバが備える制御コンピュータに、
前記光トランシーバと対向する他の光トランシーバとの間の一芯双方向通信を行うための媒体となる光ファイバ側に出力する第１光信号の波長を切り替える第１切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
前記光ファイバ側から、波長を切り替えながら出力された第３光信号を受信したとき、受信した前記第３光信号の波長を識別する識別ステップと、
前記識別ステップでの識別結果に基づいて送信波長を決定する決定ステップと、
前記決定ステップで決定された前記送信波長になるように、前記光ファイバ側に出力させる第４光信号の波長を切り替える第２切替ステップと、
を実行させるためのプログラムであり、
前記光ファイバ側から受信できる前記第３光信号の波長は、前記第２光信号の波長であり、
前記決定ステップで決定される前記第４光信号の波長は、前記他の光トランシーバが受信できる前記第１光信号の波長である、
プログラム。
【０１１７】
（付記３２）
前記第１切替ステップは、前記第１光信号に前記第１光信号の波長を示す情報を含めるステップを含み、
前記識別ステップは、前記他の光トランシーバから受信した前記第３光信号の波長を、前記第３光信号に含まれる情報に基づいて識別する、
付記３１に記載のプログラム。
【０１１８】
（付記３３）
前記第１切替ステップは、所定回数、波長の切り替えを実行しても前記光ファイバ側から前記第２光信号を受信できなかった場合、前記第１光信号の出力を停止するステップを含み、
前記識別ステップは、前記第１光信号の出力の停止後に、前記光ファイバ側から前記第３光信号を受信できた場合に、受信できた前記第３光信号の波長を識別する、
付記３１又は３２に記載のプログラム。
【０１１９】
（付記３４）
前記決定ステップは、受信波長と送信波長との対応関係及び前記識別結果に基づいて、前記識別結果が示す波長と一致する受信波長に対応した送信波長を、前記第４光信号の波長として決定する、
付記３１〜３３のいずれか１項に記載のプログラム。
【０１２０】
以上、実施の形態を参照して本願発明を説明したが、本願発明は上記によって限定されるものではない。本願発明の構成や詳細には、発明のスコープ内で当業者が理解し得る様々な変更をすることができる。
【０１２１】
この出願は、２０１９年３月２７日に出願された日本出願特願２０１９−０６１８８６を基礎とする優先権を主張し、その開示の全てをここに取り込む。
【符号の説明】
【０１２２】
１、１１−１  第１光トランシーバ
１ａ、２ａ  制御部
１ｂ、２ｂ  光出力部
１ｃ、２ｃ  光入力部
２、２１−ｎ  第２光トランシーバ
３  光ファイバ
１０  第１端局
１１、１１−２、１１−ｎ  第１端局側の光トランシーバ
１２  第１合分波器
２０  第２端局
２１、２１−２  第１端局側の光トランシーバ
２２  第２合分波器
５０  テーブル
１００  光トランシーバ
１０１  プロセッサ
１０２  メモリ
１０３  インタフェース
【図１】
2020194859.tif 000003
【図２】
2020194859.tif 000004
【図３】
2020194859.tif 000005
【図４】
2020194859.tif 000006
【図５】
2020194859.tif 000007
【図６】
2020194859.tif 000008
【図７】
2020194859.tif 000009
【図８】
2020194859.tif 000010
【図９】
2020194859.tif 000011
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
第１光信号を出力する第１光トランシーバと、
前記第１光トランシーバと対向し、第２光信号を出力する第２光トランシーバと、
前記第１光トランシーバと前記第２光トランシーバとの間の一芯双方向通信を行うための媒体となる光ファイバと、
を備え、
前記第１光トランシーバは、前記第１光信号を前記第１光信号の波長を切り替えながら前記光ファイバ側に出力し、
前記第２光トランシーバは、前記第１光信号の波長が受信可能な波長となったとき、受信した前記第１光信号の波長を識別して、前記第２光信号として、識別結果に基づいて決定した波長を有する光信号を前記光ファイバ側に出力し、
前記第１光トランシーバは、前記光ファイバ側から前記第２光信号を受信したとき、前記第１光信号の波長の切り替えを停止する、
光通信システム。
【請求項２】
前記第１光トランシーバは、前記第１光信号に前記第１光信号の波長を示す情報を含めて前記光ファイバ側に出力し、
前記第２光トランシーバは、受信した前記第１光信号の波長を前記情報に基づいて識別する、
請求項１に記載の光通信システム。
【請求項３】
前記第２光トランシーバは、受信波長と送信波長との対応関係を記憶する記憶手段を有し、前記識別結果及び前記対応関係に基づいて、前記識別結果が示す波長と一致する受信波長に対応した送信波長を、前記第２光信号の波長として決定する、
請求項１又は２に記載の光通信システム。
【請求項４】
前記第１光トランシーバは、所定回数、波長の切り替えを実行しても前記光ファイバ側から前記第２光信号を受信できなかった場合、前記第１光信号の出力を停止し、
前記第１光信号の出力の停止後に前記第２光トランシーバが接続された場合、
接続された前記第２光トランシーバは、前記第２光信号を前記第２光信号の波長を切り替えながら前記光ファイバ側に出力し、
前記第１光トランシーバは、前記第２光信号の波長が受信可能な波長となったとき、受信した前記第２光信号の波長を識別して、前記第１光信号として、識別結果に基づいて決定した波長を有する光信号を前記光ファイバ側に出力し、
前記第２光トランシーバは、前記光ファイバ側から前記第１光信号を受信したとき、前記第２光信号の波長の切り替えを停止する、
請求項１又は２に記載の光通信システム。
【請求項５】
自機と対向する他の光トランシーバとの間の一芯双方向通信を行うための媒体となる光ファイバ側に、第１光信号を出力する光出力手段と、
前記光出力手段で出力する前記第１光信号の波長を切り替える制御手段と、
前記他の光トランシーバが前記第１光信号を受信したときに出力した、前記第１光信号の波長に予め対応付けられた波長の第２光信号を、前記光ファイバ側から入力する光入力手段と、
を備え、
前記制御手段は、前記光入力手段で前記第２光信号を受信したとき、前記第１光信号の波長の切り替えを停止する、
光トランシーバ。
【請求項６】
自機と対向する他の光トランシーバとの間の一芯双方向通信を行うための媒体となる光ファイバ側から、波長を切り替えながら出力された第１光信号を入力する光入力手段と、
前記光入力手段で受信できた前記第１光信号の波長を識別して、識別結果に基づいて送信波長を決定する制御手段と、
前記制御手段で決定された前記送信波長を有する第２光信号を、前記光ファイバ側に出力する光出力手段と、
を備えた、
光トランシーバ。
【請求項７】
自機と対向する他の光トランシーバとの間の一芯双方向通信を行うための媒体となる光ファイバ側に、第１光信号を出力する光出力手段と、
前記光出力手段で出力する前記第１光信号の波長を切り替える制御手段と、
前記他の光トランシーバが前記第１光信号を受信したときに出力した、前記第１光信号の波長に予め対応付けられた波長の第２光信号を、前記光ファイバ側から入力する光入力手段と、
を備え、
前記制御手段は、前記光入力手段で前記第２光信号を受信したとき、前記第１光信号の波長の切り替えを停止し、
前記光入力手段は、前記光ファイバ側から、波長を切り替えながら出力された第３光信号を入力し、
前記制御手段は、前記光入力手段で受信できた前記第３光信号の波長を識別して、識別結果に基づいて送信波長を決定し、
前記光出力手段は、前記制御手段で決定された前記送信波長を有する第４光信号を、前記光ファイバ側に出力し、
前記光入力手段で受信できる前記第３光信号の波長は、前記第２光信号の波長であり、
前記制御手段で決定される前記第４光信号の波長は、前記他の光トランシーバが受信できる前記第１光信号の波長である、
光トランシーバ。
【請求項８】
第１光トランシーバが、前記第１光トランシーバと対向する第２光トランシーバとの間の一芯双方向通信を行うための媒体となる光ファイバ側に、第１光信号を前記第１光信号の波長を切り替えながら出力する第１出力ステップと、
前記第２光トランシーバが、前記第１光信号の波長が受信可能な波長となったとき、受信した前記第１光信号の波長を識別して、識別結果に基づいて決定した波長を有する第２光信号を前記光ファイバ側に出力する第２出力ステップと、
前記第１光トランシーバが、前記光ファイバ側から前記第２光信号を受信したとき、前記第１光信号の波長の切り替えを停止するステップと、
を備えた、光通信方法。
【請求項９】
光トランシーバが備える制御コンピュータに、
前記光トランシーバと対向する他の光トランシーバとの間の一芯双方向通信を行うための媒体となる光ファイバ側に出力する第１光信号の波長を切り替える切替ステップと、
前記他の光トランシーバが前記第１光信号を受信したときに出力した、前記第１光信号の波長に予め対応付けられた波長の第２光信号を受信したとき、前記第１光信号の波長の切り替えを停止するステップと、
を実行させるためのプログラム。
【請求項１０】
光トランシーバが備える制御コンピュータに、
前記光トランシーバと対向する他の光トランシーバとの間の一芯双方向通信を行うための媒体となる光ファイバ側から、波長を切り替えながら出力された第１光信号を受信したとき、受信した前記第１光信号の波長を識別する識別ステップと、
前記識別ステップでの識別結果に基づいて送信波長を決定する決定ステップと、
前記決定ステップで決定された前記送信波長になるように、前記光ファイバ側に出力させる第２光信号の波長を切り替える切替ステップと、
を実行させるためのプログラム。
【手続補正３】
【補正対象書類名】明細書
【補正対象項目名】０００４
【補正方法】変更
【補正の内容】
【０００４】
特許文献２，３には、光トランシーバに適切な出力波長を設定するための波長チューニング技術が記載されている。特許文献２に記載の技術では、固定波長の光トランシーバを複数有する第１サイトと波長調整可能な光トランシーバを複数有する第２サイトとの間でＬＯＳ（Loss Of Signal）情報を交換し、第２サイトが出力する信号光の波長調整を行う。このＬＯＳ情報は、低周波成分として第１サイトが出力する信号光に重畳される。特許文献２に記載の技術において、第１サイトは、第２サイトからの信号光の波長が適切でない場合（受信不可の時）、ＬＯＳ情報を第２サイトに送信し、第２サイトは、第１サイトからＬＯＳ情報を受信している間、波長切替を継続する。そして、第１サイトは、第２サイトからの信号光の波長が特定のチャネルになった場合（受信可能となった時）、ＬＯＳ情報の出力を停止し、第２サイトは、第１サイトからＬＯＳ情報を受信しなくなったことをもって、波長切替制御を完了する。
【手続補正４】
【補正対象書類名】明細書
【補正対象項目名】０００５
【補正方法】変更
【補正の内容】
【０００５】
特許文献３には、ＰＯＮ（Passive Optical Network）のＯＬＴ（Optical Line Termination）とＯＮＴ（Optical Network Termination）との間のチャネル確立技術が記載されている。特許文献３に記載の技術では、ＯＬＴとＯＮＴとの両端局において波長調整を実行している。具体的には、ＯＮＴは、ある波長の光信号をＯＬＴに出力し、第１所定時間内にＯＬＴから応答信号を受信できた場合には制御を完了し、受信できなかった場合には波長を切り替えて再度ＯＬＴに光信号を出力する。ＯＬＴは、ＯＮＴからの光信号を受信できれば、ある波長の応答信号をＯＮＴに出力し、第２所定時間内にＯＮＴから光信号を受信できた場合には制御を完了し、受信できなかった場合には波長を切り替えて再度ＯＮＴに応答信号を出力する。
【手続補正５】
【補正対象書類名】明細書
【補正対象項目名】００５６
【補正方法】変更
【補正の内容】
【００５６】
図４に示すように、本実施形態に係る光通信システム（以下、本システム）は、第１端局１０と第２端局２０とが単一の光ファイバ３で接続されている。そして、第１端局１０は、ｎ台（ｎは正の整数）の光トランシーバ１１−１〜１１−ｎと、それらに接続された第１合分波器１２と、を備える。第２端局２０は、ｎ台の光トランシーバ２１−１〜２１−ｎと、それらに接続された第２合分波器２２と、を備える。以下では、光トランシーバ１１−１〜１１−ｎについて区別無く説明を行う場合には光トランシーバ１１として説明し、光トランシーバ２１−１〜２１−ｎについて区別無く説明を行う場合には光トランシーバ２１として説明する。
【手続補正６】
【補正対象書類名】明細書
【補正対象項目名】００７６
【補正方法】変更
【補正の内容】
【００７６】
本実施形態における第１光トランシーバ１１−１は、所定回数、波長の切り替えを実行しても光ファイバ３側から第２光信号を受信できなかった場合、第１光信号の出力を停止する。つまり、第１端局１０と第２端局２０における互いに対向する光トランシーバのうち、ポートに接続を行った側がこのようなスキャンを開始する。ここで、所定回数とは、波長のセットが１０セットあった場合で例示すると、例えば（λ１−１〜λ１−１０の一巡となる１０回であってもよいし、それより少ない２回や５回などであってもよいし、λ１−１〜λ１−１０のｍ巡（ｍは正の整数）であってもよい。そして、第２光信号を受信できなかった場合、第１光トランシーバ１１−１は、第２端局２０における、第１光トランシーバ１１−１に対向する光トランシーバが接続されることを待つスタンバイ状態となる。
【手続補正７】
【補正対象書類名】明細書
【補正対象項目名】０１２２
【補正方法】変更
【補正の内容】
【０１２２】
１、１１−１  第１光トランシーバ
１ａ、２ａ  制御部
１ｂ、２ｂ  光出力部
１ｃ、２ｃ  光入力部
２、２１−ｎ  第２光トランシーバ
３  光ファイバ
１０  第１端局
１１、１１−２、１１−ｎ  第１端局側の光トランシーバ
１２  第１合分波器
２０  第２端局
２１、２１−２  第２端局側の光トランシーバ
２２  第２合分波器
５０  テーブル
１００  光トランシーバ
１０１  プロセッサ
１０２  メモリ
１０３  インタフェース
【国際調査報告】
2020194859.tif 000012
2020194859.tif 000013
2020194859.tif 000014
2020194859.tif 000015
2020194859.tif 000016
2020194859.tif 000017
2020194859.tif 000018
2020194859.tif 000019
2020194859.tif 000020
2020194859.tif 000021
2020194859.tif 000022
2020194859.tif 000023